(57)【要約】      （修正有）【課題】開口作業を迅速に行い、開口側に容易に注ぎ口部を現出し得る開口用把手を有する流体用パック容器を提供する。【解決手段】展開されるシート状材料２を直方体形状に折曲形成し、側面となる側面片３−１〜３−４の下端を閉塞する一方、上端を開口側として機能させ、成形後に収容された流体の注ぎ口部６を開口側に現出させる流体用パック容器であり、開口側に注ぎ口部を現出させる箇所には、開口作業時に把持可能となる開口用把手７を設けている。【選択図】図１
0003192326.tif 000002
【実用新案登録請求の範囲】
【請求項１】
展開されるシート状材料を直方体形状に折曲形成し、下端を閉塞する一方、上端を開口側として機能させ、成形後に収容された流体の注ぎ口部を前記開口側に現出させる流体用パック容器を設け、前記開口側に注ぎ口部を現出させる箇所には、開口作業時に把持可能となる開口用把手を設けたことを特徴とする開口用把手を有する流体用パック容器。
【考案の詳細な説明】
【技術分野】
【０００１】
この考案は開口用把手を有する流体用パック容器に係り、特に流体用パック容器の開口作業を迅速に行い、開口側に容易に注ぎ口部を現出させる開口用把手を有する流体用パック容器に関するものである。
【背景技術】
【０００２】
流体用パック容器、例えば代表的なものとしては、紙製のパック容器がある。
この紙製のパック容器は、牛乳パックとして使用されるものやジュースパック、茶・コーヒーパックとして使用されるものなど、種々に利用されている。
そして、前記牛乳パックは、展開されるシート状材料を直方体形状に折曲形成し、下端を閉塞する一方、上端を開口側として機能させている。
また、牛乳パック成形後には、内部に流体、つまり牛乳を収容させている。
【先行技術文献】
【特許文献】
【０００３】
【特許文献１】特開２００４−１０１６９号公報
【考案の概要】
【考案が解決しようとする課題】
【０００４】
ところで、従来の流体用パック容器、例えば牛乳パックにおいては、展開されるシート状材料を直方体形状に折曲形成し、下端を閉塞する一方、上端を開口側として機能させている（図２参照。）。
そして、前記牛乳パックを開口する際には、上端でのり付けされている開口側の縁部を開き、注ぎ口部を現出させている。
このとき、一般的な牛乳パックには、開口作業の手順を開示している。
つまり、牛乳パックの注ぎ口部の開口作業の第１段階としては、図７（ａ）に示す如く、縁部を「両側に開いてください」と記載し、第１段階の開口作業を促している。
また、牛乳パックの注ぎ口部の開口作業の第２段階としては、図７（ｂ）に示す如く、縁部を「左右とも完全に押しひろげます」と記載し、第２段階の開口作業を促している。
更に、牛乳パックの注ぎ口部の開口作業の第３段階としては、図７（ｃ）に示す如く、縁部を「手前に充分に引き出してください」と記載し、第３段階の開口作業を促している。
なお、上記した牛乳パックに記載される開口作業の手順に沿って開口作業を行う際に、指先に力のある若者などにおいては、開口作業を容易に行うことが可能である。
しかし、指先に力の入らない病気の方や婦女子、高齢者などにおいては、牛乳パックの開口側の縁部を開いて注ぎ口部を現出させる場合に、思うように注ぎ口部を現出させることができず、内部に収容される牛乳を溢してしまうという不都合がある。
【０００５】
よって、現在の流体用パック容器、例えば牛乳パックにおける開口作業の不便さを解消し、少しでも開口作業を容易に行い得る改善が切望されている。
【０００６】
この考案の目的は、流体用パック容器の開口作業を迅速に行い、開口側に容易に注ぎ口部を現出し得る開口用把手を有する流体用パック容器を実現することにある。
【課題を解決するための手段】
【０００７】
そこで、この考案は、上述不都合を除去するために、展開されるシート状材料を直方体形状に折曲形成し、下端を閉塞する一方、上端を開口側として機能させ、成形後に収容された流体の注ぎ口部を前記開口側に現出させる流体用パック容器を設け、前記開口側に注ぎ口部を現出させる箇所には、開口作業時に把持可能となる開口用把手を設けたことを特徴とする。
【考案の効果】
【０００８】
この考案によれば、前記開口用把手を設けることによって、前記流体用パック容器の開口作業を迅速に行うことができ、開口側に容易に注ぎ口部を現出させることができる。
【図面の簡単な説明】
【０００９】
【図１】図１は流体用パック容器の概略展開図である。（実施例１）
【図２】図２は流体用パック容器成形後の斜視図である。（実施例１）
【図３】図３は流体用パック容器成形後の注ぎ口部の開口作業を示す斜視図である。（実施例１）
【図４】図４は流体用パック容器の注ぎ口部の概略拡大図である。（実施例２）
【図５】図５は流体用パック容器の注ぎ口部に設けた開口用把手の概略拡大斜視図である。（実施例３）
【図６】図６は流体用パック容器の概略展開図である。（実施例４）
【図７】図７はこの考案の従来技術を示し、（ａ）は流体用パック容器の注ぎ口部の開口作業の第１段階を示す説明図、（ｂ）は流体用パック容器の注ぎ口部の開口作業の第２段階を示す説明図、（ｃ）は流体用パック容器の注ぎ口部の開口作業の第３段階を示す説明図である。
【考案を実施するための形態】
【００１０】
以下図面に基づいてこの考案の実施例を詳細に説明する。
【実施例１】
【００１１】
図１〜図３はこの考案の実施例１を示すものである。
図１〜図３において、
１は流体用パック容器、例えば牛乳パックである。
この牛乳パック１は、図１〜図３に示す如く、展開されるシート状材料２を直方体形状に折曲形成することによって成形する。
このとき、シート状材料２を直方体形状に折曲形成した後に、下端を閉塞する一方、上端を開口側として機能させ、内部には流体、つまり牛乳を収容する。
【００１２】
ここで、前記シート状材料２を説明する。
このシート状材料２は、図１に示す如く、直方体形状の４個の側面を形成する第１〜第４側面片３−１、３−２、３−３、３−４と、第１側面片３−１と第４側面片３−４とを結着するために例えば第４側面片３−４部分に設けた長手方向に延びる側面用のり付け部４と、前記第１〜第４側面片３−１、３−２、３−３、３−４までの上端を開口側として機能させるために、上端部分に形成した開口用のり付け部５とを有している。
このとき、この開口用のり付け部５は、第１側面片３−１上端の第１開口用のり付け部５ａと、第２側面片３−２上端の第２開口用のり付け部５ｂと、第３側面片３−３上端の第３開口用のり付け部５ｃと、第４側面片３−４上端の第４開口用のり付け部５ｄとからなる。
また、前記開口用のり付け部５は、図１に示す如く、成形後に外側に位置する第１及び第３側面片３−１、３−３の上端を、成形後に内側に位置する第２及び第４側面片３−２、３−４の上端よりも長く形成する。
なお、図１における１点鎖線は、「谷折り」あるいは「山折り」などの折曲線を開示している。
【００１３】
そして、前記牛乳パック１の開口側に注ぎ口部６を現出させる箇所に、開口作業時に把持可能となる開口用把手７を設ける構成とする。
詳述すれば、前記牛乳パック１を成形する前記シート状材料２において、図１に示す如く、例えば、前記第２側面片３−２の上端である開口側に注ぎ口部６を現出させる場合に、前記第２側面片３−２上端の第２開口用のり付け部５ｂの少なくとも一部を上方に突出させ、前記第１及び第３側面片３−１、３−３の上端とほぼ面一状態として前記開口用把手７を形成する。
このとき、この開口用把手７は、前記第２開口用のり付け部５ｂの全幅寸法において中心部位に形成し、開口作業後に前記注ぎ口部６として機能させるものである。
なお、前記開口用把手７を前記注ぎ口部６として機能させて使用する際に、使い勝手が悪いと思われる場合には、突出形成している開口用把手７部分のみを切除することも可能である。
また、前記開口用把手７を前記注ぎ口部６として機能させて使用する際に、開口用把手７の突出する部分のみを前記第２開口用のり付け部５ｂの表側に折曲し、注ぎ口部６の強度を向上させる構成として使用することも可能である。
【００１４】
前記牛乳パック１の開口側に注ぎ口部６を現出させる際には、前記第１及び第３側面片３−１、３−３の上端を持って開いたときに、図３に示す如く、前記開口用のり付け部５の上端部分に前記開口用把手７が表れる。
そして、この開口用把手７を摘まんで開口作業を行うことによって、前記牛乳パック１の開口側に注ぎ口部６を現出させることができる。
【００１５】
これにより、前記牛乳パック１の開口側に注ぎ口部６を現出させる箇所に、開口作業時に把持可能となる開口用把手７を設けることによって、前記牛乳パック１の開口作業を迅速に行うことができ、開口側に容易に注ぎ口部６を現出させることができる。
また、前記開口用把手７が前記シート状材料２に一体的に形成することができることにより、材料の歩留まりが良く、材料費が嵩むおそれがなく、製造コストを低廉に維持し得る。
【実施例２】
【００１６】
図４はこの考案の実施例２を示すものである。
この実施例２において、上述実施例１のものと同一機能を果たす箇所には、同一符号を付して説明する。
【００１７】
この第２実施例の特徴とするところは、開口用把手１１の形状をほぼ三角形状とした点にある。
【００１８】
すなわち、前記牛乳パックを成形する前記シート状材料２において、図４に示す如く、前記第２側面片３−２の上端である開口側に注ぎ口部６を現出させる場合に、前記第２側面片３−２上端の第２開口用のり付け部５ｂの少なくとも一部を上方に突出させ、前記第１及び第３側面片の上端とほぼ面一状態として前記開口用把手１１を形成するものである。
このとき、この開口用把手１１は、前記第２開口用のり付け部５ｂの全幅寸法において中心部位に形成するものとし、第２開口用のり付け部５ｂ両側に近い部分から中心部位に向かって上方に突出するように形成する。
そして、前記開口用把手１１を、開口作業後に前記注ぎ口部６として機能させるものである。
【００１９】
さすれば、前記牛乳パックの開口側に注ぎ口部６を現出させる箇所に、開口作業時に把持可能となる開口用把手１１を設けることによって、上述実施例１と同様に、前記牛乳パックの開口作業を迅速に行うことができ、開口側に容易に注ぎ口部６を現出させることができる。
また、前記開口用把手１１が前記シート状材料２に一体的に形成することができることにより、上述実施例１と同様に、材料の歩留まりが良く、材料費が嵩むおそれがなく、製造コストを低廉に維持し得る。
【実施例３】
【００２０】
図５はこの考案の実施例３を示すものである。
【００２１】
この実施例３の特徴とするところは、開口用把手２１を形成する際に、把持容易な状態の構成とした点にある。
【００２２】
すなわち、前記牛乳パックを成形する前記シート状材料２において、図５に示す如く、前記第２側面片３−２の上端である開口側に注ぎ口部６を現出させる場合に、前記第２側面片３−２上端の第２開口用のり付け部５ｂの少なくとも一部を上方に突出させ、前記第１及び第３側面片の上端とほぼ面一状態として前記開口用把手２１を形成する。
このとき、この開口用把手２１の幅方向のほぼ半分を第２開口用のり付け部５ｂから切り離し、切り離し用積層部２２を形成するものである。
【００２３】
この切り離し用積層部２２について説明する。
前記シート状材料２から直方体形状の前記牛乳パックを成形する際に、上端を開口側として第２開口用のり付け部５ｂなどをのり付けする。
このとき、図５に示す如く、前記開口用把手２１ののり付け側に前記切り離し用積層部２２を積層するように位置させ、開口用把手２１がのり付けされないようにするものである。
そして、前記牛乳パックの開口作業を行う際に、のり付けされていない前記開口用把手２１を持ち、この開口用把手２１を前記切り離し用積層部２２から切り離すことによって、開口側に注ぎ口部６を現出させる。
なお、前記開口用把手２１を、開口作業後に前記注ぎ口部６として機能させる際には、この開口用把手２１の中心部位を前記第２側面片３−２の幅方向中央部分と合致させておけば良い。
【００２４】
さすれば、前記牛乳パックの開口側に注ぎ口部６を現出させる箇所に、開口作業時に把持可能となる開口用把手２１を設けることによって、上述実施例１及び２と同様に、前記牛乳パックの開口作業を迅速に行うことができ、開口側に容易に注ぎ口部６を現出させることができる。
また、前記開口用把手２１が前記シート状材料２に一体的に形成することができることにより、上述実施例１及び２と同様に、材料の歩留まりが良く、材料費が嵩むおそれがなく、製造コストを低廉に維持し得る。
更に、前記開口用把手２１をのり付けされていない状態にできることにより、開口用把手２１の把持が容易となり、前記牛乳パックの開口作業をより一層迅速に行うことに寄与し得る。
【実施例４】
【００２５】
図６はこの考案の実施例４を示すものである。
【００２６】
この実施例４の特徴とするところは、開口用把手３１の上方への突出状態を大する構成とした点にある。
【００２７】
すなわち、前記牛乳パックを成形する前記シート状材料２において、図６に示す如く、前記第２側面片３−２の上端である開口側に注ぎ口部６を現出させる場合に、前記第２側面片３−２上端の第２開口用のり付け部５ｂの少なくとも一部を上方に突出させ、前記開口用把手３１を形成する。
このとき、この開口用把手３１の上方への突出状態を、前記第１及び第３側面片の上端から、例えば長さｈだけ長く形成するものである。
また、前記開口用把手３１は、前記第２開口用のり付け部５ｂの全幅寸法において中心部位に形成するものとし、第２開口用のり付け部５ｂ両側に近い部分から中心部位に向かって上方に突出するように形成する。
そして、前記開口用把手３１を、開口作業後に前記注ぎ口部６として機能させるものである。
【００２８】
さすれば、前記牛乳パックの開口側に注ぎ口部６を現出させる箇所に、開口作業時に把持可能となる開口用把手３１を設けることによって、上述実施例１〜３と同様に、前記牛乳パックの開口作業を迅速に行うことができ、開口側に容易に注ぎ口部６を現出させることができる。
また、前記開口用把手３１が前記シート状材料２に一体的に形成することができることにより、上述実施例１〜３と同様に、材料の歩留まりが良く、材料費が嵩むおそれがなく、製造コストを低廉に維持し得る。
更に、前記開口用把手３１を形成する際に、この開口用把手３１の上方への突出状態を前記第１及び第３側面片の上端から、例えば長さｈだけ長く形成することにより、開口前に前記牛乳パック上部に開口用把手３１の突出している状態が見えるため、改良された牛乳パックであることを牛乳を購入する消費者にアピールできる。
【００２９】
なお、この考案は上述実施例１〜４に限定されるものではなく、種々の応用改変が可能である。
【００３０】
例えば、この考案の実施例１〜４においては、前記開口用把手を形成する際に、前記牛乳パックを成形する前記シート状材料の前記第２側面片の中央部位にのみ形成する構成としたが、第２側面片の全幅にわたって開口用把手を形成する特別構成とすることも可能である。
【符号の説明】
【００３１】
１  流体用パック容器、例えば牛乳パック
２  シート状材料
３−１  第１側面片
３−２  第２側面片
３−３  第３側面片
３−４  第４側面片
４  側面用のり付け部
５  開口用のり付け部
５ａ  第１開口用のり付け部
５ｂ  第２開口用のり付け部
５ｃ  第３開口用のり付け部
５ｄ  第１開口用のり付け部
６  注ぎ口部
７  開口用把手
【図１】
0003192326.tif 000003
【図２】
0003192326.tif 000004
【図３】
0003192326.tif 000005
【図４】
0003192326.tif 000006
【図５】
0003192326.tif 000007
【図６】
0003192326.tif 000008
【図７】
0003192326.tif 000009